(57)【要約】【課題】端子金具を挿入する過程でのランスの撓み量を小さくする。【解決手段】ハウジング３０には、端子金具１０を後方から挿入可能なキャビティ３１が設けられ、キャビティ３１内には、ランス３３が設けられている。キャビティ３１内に端子金具１０を挿入すると、ランス３３が端子金具１０によって一旦撓まされた後、端子金具１０が正規深さに達すると、ランス３３が復元して端子金具１０に係止する。端子金具１０のうちランス３３と対向する外壁１７には、ランス３３側へ突出するとともにランス３３が係止可能とされる係止突部２７が設けられている。ランス３３のうち、挿入過程で係止突部２７が摺接する面には、凹部５４が形成されている。係止突部２７と凹部５４の摺接面である円弧面２９ａと底面５４ａは、互いに略整合する形状に形成されている。【選択図】  図８
2005019282.tif 000002
【特許請求の範囲】
【請求項１】
コネクタハウジングに設けられたキャビティ内に端子金具を挿入すると、キャビティ内に設けられたランスが端子金具によって一旦撓まされ、端子金具が正規深さに達するとランスが復元して端子金具に対して係止することで端子金具の抜け止めが図られるものにおいて、
前記端子金具のうち前記ランスと対向する外壁には、ランス側へ突出するとともにランスが係止可能とされる係止突部が設けられるのに対し、前記ランスのうち前記係止突部が摺接する面には、凹部が形成され、且つ係止突部と凹部との摺接面が互いに略整合する形状に形成されていることを特徴とするコネクタ。
【発明の詳細な説明】
【０００１】
【発明の属する技術分野】
本発明は、コネクタに関する。
【０００２】
【従来の技術】
従来、ランスによって端子金具を抜け止めするようにしたコネクタの一例として下記特許文献１に記載されたものが知られている。このものは、コネクタハウジングに設けられたキャビティ内に端子金具が後方から挿入されると、キャビティ内に設けられたランスが端子金具によって一旦撓まされ、端子金具が正規深さに達すると、ランスが復元して端子金具の被係止部に係止することで端子金具の抜け止めが図られるようになっている。
【０００３】
【特許文献１】
特開平５−１８２７１２号公報
【０００４】
【発明が解決しようとする課題】
ところで、上記したようなコネクタにおいて小型化を図るよう要請があった場合には、端子金具の抜け止め力が不足することが懸念される。それに対応するには、例えば端子金具の被係止部にランス側へ突出する突起を設け、その突起にもランスを係止させることで係止深さを増加させて抜け止め力を向上させることが考えられる。
しかしながら、そうすると端子金具を挿入する過程では、突起の突出高さ分だけランスを大きく撓ませる必要が生じるため、挿入力が増加するなどの問題が生じてしまう。
本発明は上記のような事情に基づいて完成されたものであって、端子金具を挿入する過程でのランスの撓み量を小さくすることを目的とする。
【０００５】
【課題を解決するための手段】
上記の目的を達成するための手段として、請求項１の発明は、コネクタハウジングに設けられたキャビティ内に端子金具を挿入すると、キャビティ内に設けられたランスが端子金具によって一旦撓まされ、端子金具が正規深さに達するとランスが復元して端子金具に対して係止することで端子金具の抜け止めが図られるものにおいて、前記端子金具のうち前記ランスと対向する外壁には、ランス側へ突出するとともにランスが係止可能とされる係止突部が設けられるのに対し、前記ランスのうち前記係止突部が摺接する面には、凹部が形成され、且つ係止突部と凹部との摺接面が互いに略整合する形状に形成されている構成としたところに特徴を有する。
【０００６】
【発明の作用及び効果】
＜請求項１の発明＞
端子金具がキャビティ内に正規深さまで挿入されると、ランスが端子金具の外壁からランス側へ突出する係止突部に係止するので、端子金具を十分な抜け止め力でもって保持することができる。
端子金具をキャビティ内に挿入する途中では、係止突部が凹部に摺接されることでランスが撓まされる。このときのランスの撓み量は、凹部の深さ分だけ小さくなっており、もって端子金具の挿入力の低減などを図ることができる。しかも、係止突部と凹部との摺接面が互いに略整合する形状となっているから、ランスの撓み量を極力小さくすることができる。
【０００７】
【発明の実施の形態】
本発明の一実施形態を図１ないし図１０によって説明する。この実施形態では、雌型のコネクタについて例示する。このコネクタは、雌型の端子金具１０と、端子金具１０を収容可能なコネクタハウジング３０（以下、単にハウジング３０という）と、ハウジング３０に装着されるリテーナ４２とから構成されている。なお、以下ではハウジング３０に対する端子金具１０の挿入方向を前方とし、逆の抜き取り方向を後方とする。
【０００８】
端子金具１０は、金属板をプレス成形することで所定の形状に形成されており、図４〜図６に示すように、前後に開口する略箱型をなす本体部１１と、電線Ｗの端末に圧着接続可能なバレル部１２とを前後に繋げた構成とされている。このうち、バレル部１２は、電線Ｗの芯線と被覆とにそれぞれかしめ付けられるかしめ片を前後に一対ずつ備えている。
【０００９】
本体部１１は、前後に延出する底壁１３と、底壁１３の両側縁から立ち上がる一対の側壁１４，１５と、図４の左側の側壁１４の突出端から底壁１３と対向するよう突出する天井壁１６と、図４の右側の側壁１５の突出端から天井壁１６の外側に重ね合わせられるよう突出する外壁１７とから構成されている。端子金具１０をハウジング３０のキャビティ３１内に挿入するときには、本体部１１のうち外壁１７が下側を向く、すなわちランス３３と対向するようになっている。
【００１０】
底壁１３は、他の壁１４，１５，１６，１７と比較して前端が後方へ引っ込んだ位置に配されており、この前端から弾性接触片１８が突設されている。弾性接触片１８は、底壁１３の前端から前方へ突出する舌片を後方へ向けて折り返すことで、略山形をなす片持ち状に形成されている。この弾性接触片１８は、本体部１１内に前方から挿入される相手の雄型の端子金具のタブ（図示せず）に対して弾性接触可能とされている。また弾性接触片１８に対向する天井壁１６には、タブを弾性接触片１８との間で挟圧状態に保持可能な受け部１９が内側に張り出して設けられている。また底壁１３には、弾性接触片１８が弾性限度を超えて変形する手前の段階で弾性接触片１８に係合することで、弾性接触片１８の過度撓みを規制可能な過度撓み規制突部２０が内側に叩き出して設けられている。
【００１１】
外壁１７には、その長さ方向略中央に切欠部２１が全幅にわたって形成されることで、前部１７ａと後部１７ｂとに分断されている。この切欠部２１内には、ランス３３が進入可能とされており、切欠部２１の前側の切断端面２１ａに対してランス３３が係止可能とされている。ランス３３に対する係止面である前側の切断端面２１ａは、全域にわたって端子金具１０の軸線に対してなす角度が鋭角をなすよう傾斜しており、いわゆるオーバーハング状に形成されている。この切欠部２１は、外壁１７の半分弱の長さを有するとともに図５の奥側の側壁１５の上端部にまで形成されている。この側壁１５の上端面には、天井壁１６の突出端から突設された張出片２２が当接されることで、天井壁１６ほぼ水平な姿勢に支持できるようになっている。天井壁１６のうち受け部１９を有する前半部分には、後半部分よりも僅かに低くなるよう凹部２３が張出片２２における側壁１５との当接部分を除いて形成されており、その分だけランス３３の係止深さを稼ぐことが可能とされる。また外壁１７の前部１７ａは、前後長さが後部１７ｂよりも少し短く設定されている。
【００１２】
外壁１７の後部１７ｂの後端部における幅方向略中央には、突部２４が外方へ突出するよう叩き出して形成されている。この突部２４を含めた本体部１１の後端下側の段差部分２５（天井壁１６及び外壁１７の後部１７ｂの後端部）には、ハウジング３０に装着されるリテーナ４２が係止可能とされている。また外壁１７の後部１７ｂにおける突出端からは、端子金具１０の挿入動作を案内するなどの機能を有するスタビライザ２６が突設されている。
【００１３】
外壁１７の前部１７ａの後端部、すなわち切欠部２１の前側の切断端部における幅方向略中央には、ランス３３が係止可能とされる係止突部２７が外側（ランス３３側）へ突出するよう叩き出して形成されている。係止突部２７は、略円錐状をなす前部２８と、略円筒状をなす後部２９とを繋げた構成とされている。このうち前部２８は、前端側にかけて幅寸法及び高さ寸法が次第に減少する先細り状に形成され、その外面は、前後から見て円弧面２８ａとされている。また前部２８の前端部は、やや丸みを帯びた形状に形成されている。後部２９は、幅寸法及び高さ寸法がほぼ一定に形成され、その外面は、突出端側の約１／３部分（幅方向中央部分）が円弧面２９ａとされ、この円弧面２９ａの両端部に基端側へ向けてほぼ真っ直ぐな傾斜面２９ｂが繋げられ、この両傾斜面２９ｂの端部に外壁１７の外面へ向けて裾広がり状をなす曲面２９ｃが繋げられた構成とされている。ランス３３に対する係止面である係止突部２７の後端面は、切欠部２１の前側の切断端面２１ａによって構成されているので、同様の勾配を有する傾斜面とされ、すなわちオーバーハング状に形成されている。また係止突部２７の突出高さ寸法は、上記した突部２４とほぼ同じに設定されている。
【００１４】
ハウジング３０は、合成樹脂製とされ、図１〜図３、及び図６に示すように、後方から端子金具１０を挿入可能なキャビティ３１が上下２段、幅方向に複数室並んで配設されている。キャビティ３１内に挿入される端子金具１０は、キャビティ３１の下壁３２側に設けられたランス３３（詳細は後述する）により弾性的に抜け止め可能とされるとともに、ハウジング３０の前壁３４によって前止まり状態に支持されるようになっている。このハウジング３０の前壁３４には、相手の雄型の端子金具のタブがキャビティ３１内に前方から進入するのを許容するタブ挿通孔３５が穿設されており、その前側の孔縁には、全周にわたって略擂鉢状をなす誘導面３６が形成されることで、タブの進入動作が円滑に誘導されるようになっている。
【００１５】
キャビティ３１の下壁３２には、端子金具１０における係止突部２７及び突部２４を挿通可能な突部挿通溝３７と、スタビライザ２６を挿通可能なスタビライザ挿通溝３８とがそれぞれ後方へ開放する形態で形成されている。突部挿通溝３７は、キャビティ３１における幅方向略中央に配されるのに対し、スタビライザ挿通溝３８は、突部挿通溝３７に対して図２の右側に配されている。突部挿通溝３７は、後述するようにランス３３側にまで連続して形成されているのに対し、スタビライザ挿通溝３８は、その前端位置がランス３３よりも少し後方に設定されている。この突部挿通溝３７は、幅寸法が係止突部２７や突部２４よりもやや大きく設定され、またその深さ寸法が係止突部２７や突部２４の突出高さ寸法よりもやや大きく設定されている。
【００１６】
キャビティ３１の上面（ランス３３との対向面）における前端部には、全幅にわたって内方（ランス３３側）へテーパ状に張り出す張出部３９が設けられており、この張出部３９によってキャビティ３１内に挿入される端子金具１０の前端部をランス３３側へ押し出すことで、ランス３３の係止深さを増加できるようになっている。キャビティ３１の後端周縁は、一部を除いてほぼ全周にわたり端子金具１０を誘い込むことができるようテーパ状に形成されている。キャビティ３１の後端周縁のうち、図２の左上位置には、端子金具１０の挿抜方向と直交する切り立った端面をなす規制部４０が設けられており、この規制部４０には、端子金具１０がキャビティ３１に対して正規の挿入姿勢とは上下反転した不正な姿勢とされたときに、スタビライザ２６が突き当たることで挿入動作を規制可能とされている。またキャビティ３１は、前半部分が後半部分よりも幅狭に形成されている。
【００１７】
ハウジング３０の下面には、端子金具１０を二次係止するためのリテーナ４２を下方から装着可能なリテーナ取付孔４１が開口して設けられている。このリテーナ取付孔４１は、各キャビティ３１の長さ方向中央部分（ランス３３よりも少し後側部分）を下方外部に開放するような位置に形成されている。リテーナ４２は、各キャビティ３１に対応して上下２段の抜け止め部４３を有しており、ハウジング３０に対して各抜け止め部４３が各キャビティ３１から下方に退避して配されることで各キャビティ３１への端子金具１０の挿抜を許容する仮係止位置（図６）と、各抜け止め部４３が各キャビティ３１内に進出して端子金具１０に対して係止可能とされる本係止位置（図１０）との２位置間を上下方向に沿って移動可能とされている。このリテーナ４２は、図示しない保持手段によって上記仮係止位置と本係止位置とに選択的に保持可能とされている。
【００１８】
ここで、ランス３３の構造を詳細に説明する。ランス３３は、図３及び図６に示すように、キャビティ３１の下壁３２における前部側（リテーナ取付孔４１よりも前方部分）に設けられており、前後両端が支持された両持ち状のアーム４４を備えている。このアーム４４の上面には、端子金具１０の切欠部２１内に進入してその前側の切断端面２１ａに対して係止可能な抜け止め突部４５がキャビティ３１内に突出する形態で設けられている。ランス３３は、全体として正面から見てほぼ左右対称形状をなしている。また上段のキャビティ３１に設けられたランス３３は、上下のキャビティ３１間の仕切り壁を兼用し、また下段のキャビティ３１に設けられたランス３３は、ハウジング３３の底壁を兼用している。
【００１９】
アーム４４は、正面から見て横長の長方形のうち両下側角部をテーパ状に切除した形状をなし（図１）、キャビティ３１の幅寸法にほぼ匹敵する（正確にはキャビティ３１の幅寸法よりも僅かに小さい）幅寸法を有している。アーム４４は、前後の支持部分を支点として上下方向に沿って撓み変形可能とされ、変形時には、長さ方向中央部分を最下端とした略弓形となる（図７）。アーム４４の下方には、その撓み変形を許容する撓み空間が所定高さ分確保されている。アーム４４の両側部（下面がテーパ状となる部分）に対して撓み空間を空けた下方位置には、断面形状が略三角形となる一対の過度撓み規制部４６がランス３３の長さ方向に沿って設けられている。この過度撓み規制部４６は、ランス３３が弾性限度を超えて撓み変形する手前の段階でランス３３に係合することでその過度撓みを規制可能となっている。アーム４４のうち後部４４ｂは、下壁３２に対して全幅にわたって連結されるとともに前方へ向かって上り勾配をなす傾斜状に形成されるのに対し、前部４４ａは、ハウジング３０の前壁３４に対して部分的に連結されるとともに略水平に形成されている。アーム４４の後部４４ｂには、下壁３２に形成された突部挿通溝３７が引き続いて設けられており、突部挿通溝３７の両側方に残された部分が端子金具１０を下支え可能な後側支持部４７となっている。
【００２０】
抜け止め突部４５は、アーム４４と同幅の幅寸法を有するとともに、アーム４４の後部４４ｂと前端位置を揃えるように設けられており、その後面がアーム４４の後部４４ｂの傾斜に連続するテーパ状に形成されている。抜け止め突部４５の前面は、端子金具１０に対する係止面４８となっており、前後方向（端子金具１０の挿抜方向）と略直交する切り立った面として形成されている。
【００２１】
アーム４４の前部４４ａの上面幅方向中央には、前方へ開口するとともに前方外部からランス３３を強制的に撓み変形させるための解除治具（図示せず）を挿入可能な操作用溝部４９が全長にわたって形成されており、この操作用溝部４９の両側方に残された部分が端子金具１０を下支え可能な前側支持部５０となっている。言い換えると、アーム４４の前部４４ａは、操作用溝部４９によって後部４４ｂよりも薄肉状に形成されている。操作用溝部４９は、アーム４４の前部４４ａの厚み寸法の約半分強の深さに形成されており、その両側面がアーム４４の外形に概ね沿うように、側方へ向かって上り勾配をなす曲面形状となっている（図１）。この操作用溝部４９内には、キャビティ３１内に挿入される端子金具１０の係止突部２７が進入可能とされており、その後端側には、上記した抜け止め突部４５の係止面４８に連続するとともに係止突部２７に対して係止可能な拡張係止面５１が形成されている。この拡張係止面５１は、下端側ほど係止面４８よりも後方へ引っ込むような傾斜（端子金具１０における切欠部２１の前側の切断端面２１ａに沿うような傾斜）を有するよう形成されている。またアーム４４の前部４４ａにおける前半部分には、解除治具の挿通を許容する治具挿通溝部５２が操作用溝部４９に連通して形成されている。この治具挿通溝部５２は、アーム４４の前部４４ａの前半部分を二股状に分岐するようにして形成されている。治具挿通溝部５２の後端側には、後方へ向かって上り勾配をなす傾斜を有することで、解除治具を操作用溝部４９へと案内可能な案内面５３が形成されている。
【００２２】
さて、抜け止め突部４５の上面、すなわち端子金具１０を挿入する過程で係止突部２７が摺接する面には、凹部５４が設けられている。凹部５４は、抜け止め突部４５における幅方向略中央に配され、既述した突部挿通溝３７の延長線上に位置しており、その幅寸法は、突部挿通溝３７よりも小さく、係止突部２７と同幅に設定されている。この凹部５４の深さ寸法は、突部挿通溝３７の深さ寸法や係止突部２７の高さ寸法の約１／３程度に設定されている。従って、挿入時に凹部５４内には、係止突部２７のうち突出端側の約１／３部分が進入されるようになっており、凹部５４の底面５４ａには、係止突部２７の外面のうち円弧面２８ａ，２９ａが摺接されるようになっている。そして、凹部５４の底面５４ａは、係止突部２７の後部２９の円弧面２９ａに略整合するような円弧状に形成されている。従って、端子金具１０の挿入過程で係止突部２７が凹部５４内に進入して抜け止め突部４５を押圧するときは、係止突部２７の円弧面２９ａが凹部５４の底面５４ａのほぼ全幅領域に摺接するとともに、両面２９ａ，５４ａ間には殆ど隙間が生じることがない設定となっている。
【００２３】
本実施形態は以上のような構造であり、続いてその作用について説明する。ハウジング３０に対してリテーナ４２を仮係止位置に装着した後に、図６に示すように、電線Ｗに圧着接続した状態の端子金具１０をキャビティ３１内に挿入する。このとき、スタビライザ２６を下方へ向けた正規の挿入姿勢とは上下反転した不正な姿勢で端子金具１０を挿入しようとした場合には、上方を向いたスタビライザ２６の前端面がキャビティ３１の後端周縁に形成された規制部４０に突き当たることで挿入動作が規制される。これにより、端子金具１０の逆挿入が確実に防止される。
【００２４】
正規の挿入姿勢としつつ端子金具１０をキャビティ３１内に挿入すると、先に係止突部２７が突部挿通溝３７内に挿通され、その後、突部２４が突部挿通溝３７内に、スタビライザ２６がスタビライザ挿通溝３８内にそれぞれ挿通されることで、端子金具１０が上下左右にがたつくのを抑制されつつ円滑に挿入される。そして、端子金具１０が所定深さまで挿入されると、図７に示すように、係止突部２７が抜け止め突部４５に乗り上げて凹部５４内に進入するとともに抜け止め突部４５を下方へ押圧することで、ランス３３が撓み変形される。アーム４４が撓むと、全体が側方から見て浅いＶ字型になるよう変形し、前部４４ａが後傾するのに対して後部４４ｂが前傾した姿勢となる。
【００２５】
この過程では、先に係止突部２７の前部２８が凹部５４内に進入してその円弧面２８ａが底面５４ａに摺接するのであるが、この前部２８は、高さ寸法が後部２９側へ行くに従って次第に増加する略円錐形状となっているから、ランス３３を徐々に撓み変形させることができ、もって挿入動作が円滑なものとなる。前部２８に引き続いて後部２９の突出端部が凹部５４内に進入すると、図８に示すように、円弧面２９ａが凹部５４の底面５４ｂに摺接する。このとき、ランス３３が最も大きく撓むのであるが、後部２９の円弧面２９ａが凹部５４の底面５４ａのほぼ全幅領域にわたって摺接するので、両面２９ａ，５４ａ間には殆ど隙間が生じない。ここで、仮に係止突部２７の外面が部分的に凹部５４の底面５４ａよりも下方へ張り出す形状だった場合には、その張り出した部分のみが凹部５４の底面５４ａに摺接するため、両面間に隙間が生じ、その隙間の分だけランス３３の撓み量が増加することになる。これと比べると、本実施形態ではランス３３の撓み量を極力小さくすることができ、もって端子金具１０の挿入力を低減することができるとともにランス３３の撓み空間が小さくて済むのでコネクタの小型化にも好適となる。
【００２６】
このように端子金具１０が半挿入の状態であるにも拘わらず、作業者が正規深さに達したと勘違いしてリテーナ４２を本係止位置へ移動させる場合がある。その場合には、リテーナ４２の抜け止め部４３が端子金具１０の本体部１１の下面側に突き当たることで、本係止位置への移動動作が規制される。これをもって、端子金具１０が半挿入であることが検知される。
【００２７】
端子金具１０がキャビティ３１内に正規深さまで挿入されると、図９に示すように、係止突部２７がランス３３の抜け止め突部４５を乗り越えてその前方の操作用溝部４９内に進入し、それに伴ってランス３３が弾性復帰する。すると、ランス３３における抜け止め突部４５が切欠部２１内に進入するとともに係止面４８及び拡張係止面５１が切欠部２１の前側の切断端面２１ａ（係止突部２７の後端面を含む）に対して係止される。これにより、端子金具１０がランス３３によって十分な抜け止め力でもって保持される。また正規挿入される過程では、本体部１１の前端部がキャビティ３１の上面の張出部３９により押し下げられてランス３３側に接近するように変位するから、ランス３３の端子金具１０に対する係止深さがさらに大きくなっている。ランス３３における係止面４８は、ランス３３の全幅、すなわちキャビティ３１の幅寸法に匹敵する幅領域に形成されるとともに、端子金具１０における切欠部２１の前側の切断端面２１ａは、端子金具１０のほぼ全幅にわたる幅領域に形成されているから、端子金具１０は、強固な抜け止め力でもって保持される。しかも切欠部２１の前側の切断端面２１ａが内側に傾斜したテーパ状に形成されるとともに、拡張係止面５１がその傾斜に沿ったテーパ状に形成されているから、抜け止め力がより強固なものとなっている。
【００２８】
全ての端子金具１０を対応するキャビティ３１内に挿入した後、図１０に示すように、リテーナ４２を本係止位置へと移動させると、各抜け止め部４３が各キャビティ３１内に進出して突部２４を含めた段差部分２５に対して係止される。このように端子金具１０は、キャビティ３１内においてランス３３とリテーナ４２とによって二重に係止された状態で抜け止め保持される。なお、メンテナンスなどの事情によって端子金具１０を取り外す場合には、リテーナ４２を仮係止位置へ戻してその係止状態を解除した後、解除治具を治具挿通溝部５２及び操作用溝部４９内に挿入しつつてこ操作することで操作用溝部４９の底面を下方へ押圧してランス３３を強制的に撓み変形させる。ランス３３の端子金具１０に対する係止状態を解除したら、電線Ｗを引っ張ることで端子金具１０をキャビティ３１から引き抜くようにする。
【００２９】
以上説明したように本実施形態によれば、端子金具１０のうちランス３３と対向する外壁１７には、ランス３３側へ突出する係止突部２７を設け、ランス３３のうち挿入過程で係止突部２７が摺接する面には、凹部５４を設けるようにしたから、端子金具１０を挿入する過程において、凹部５４の深さ分だけランス３３の撓み量を小さくすることができる。しかも、係止突部２７と凹部５４との摺接面２９ａ，５４ａを互いに略整合する形状に形成したから、ランス３３の撓み量を極力小さくすることができる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、凹部の深さ寸法が係止突部の高さの約１／３程度とした場合を示したが、その深さ寸法は、任意に設定可能である。
（２）上記した実施形態では、係止突部と凹部の摺接面が円弧状に形成された場合を示したが、例えば角形であっても構わない。
【００３１】
（３）上記した実施形態では、端子金具の外壁が切欠部によって前後に分断される場合を示したが、例えば切欠部の形成範囲が外壁の幅寸法よりも小さく、外壁の前部と後部との突出端部同士が繋ぎ部分によって連結されるようなものも本発明に含まれる。また切欠部を省略してもよく、その場合は、例えば本体部の段差部分と突部とにランスを係止させることも可能である。その場合は、凹部の底面を突部の外面に略整合する形状に形成すればよい。
【００３２】
（４）上記した実施形態以外にも、本体部の両側壁や底壁のいずれかに切欠部や係止突部を設けてそこにランスを係止させるようにしてもよい。
（５）上記した実施形態では、両持ち状のランスを例示したが、片持ち状のランスを備えたコネクタについても本発明は適用可能である。
（６）上記した実施形態では、雌コネクタについて示したが、タブを備えた雄型の端子金具が挿入される雄コネクタについても本発明は適用可能である。
【図面の簡単な説明】
【図１】本発明の一実施形態に係るハウジングの正面図
【図２】ハウジングの背面図
【図３】ハウジングの部分切欠斜視図
【図４】端子金具の正面図
【図５】端子金具の底面図
【図６】リテーナを仮係止位置に装着したハウジング内に端子金具を挿入する前の状態を示す側断面図
【図７】ハウジング内に端子金具を挿入する途中の状態を示す側断面図
【図８】図７の正断面図
【図９】ハウジング内に端子金具を正規に挿入した状態を示す側断面図
【図１０】リテーナを本係止位置へ移動させた状態を示す側断面図
【符号の説明】
１０…端子金具
１７…外壁
２７…係止突部
２９ａ…円弧面（摺接面）
３０…ハウジング（コネクタハウジング）
３１…キャビティ
３３…ランス
５４…凹部
５４ａ…底面（摺接面）
【図１】
2005019282.tif 000003
【図２】
2005019282.tif 000004
【図３】
2005019282.tif 000005
【図４】
2005019282.tif 000006
【図５】
2005019282.tif 000007
【図６】
2005019282.tif 000008
【図７】
2005019282.tif 000009
【図８】
2005019282.tif 000010
【図９】
2005019282.tif 000011
【図１０】
2005019282.tif 000012